【手続補正書】
【提出日】平成18年2月17日(2006.2.17)
【手続補正１】
【補正対象書類名】明細書
【補正対象項目名】特許請求の範囲
【補正方法】変更
【補正の内容】
【特許請求の範囲】
【請求項１】  下記式（Ｉ）：
【化１】
2002510671.tif 000001
［式中、
Ｙ1は、共有結合、非置換またはＣ1-4アルキルにより置換されている炭素原子４個までのアルキレンもしくはアルケニレン、またはＯであり；
Ｙ2は、非置換またはＣ1-4アルキルもしくはハロアルキルにより置換されているメチレンであり；
Ｙ3は、共有結合、またはＯ、Ｓ、Ｎ−ＲIVまたはＣ1-4アルキレン−Ｏ、Ｃ1-4アルキレン−Ｓ、Ｃ1-4アルキレン−Ｎ−ＲIVであり；
Ｒ3およびＲ4は、独立して、メチルもしくはエチルであるか、または、一緒になってシクロプロピルを形成し；
Ｒ5は、非置換または、ＯＨ、ハロゲン、Ｃ1-4アルキル、Ｃ1-4アルコキシ、Ｃ3-6シクロアルキル、ＯＳＯ2ＲIV、ＣＮ、ＮＯ2、ＯＣＦ3、ＣＦ3、ＣＨ2ＣＦ3、(ＣＨ2)nＣＯ2ＲIVおよびＯ−(ＣＨ2)nＣＯ2ＲIV（ここで、ｎは、０ないし３の整数であり、ＲIVは、Ｈ、Ｃ1-4アルキルおよびＣ3-6シクロアルキルからなる群から選択される）からなる群から選択されるいずれかの置換基で置換されているアリールもしくは縮合アリールまたはジヒドロもしくはテトラヒドロ縮合アリールであるか；または
Ｒ5は、非置換または、ＯＨ、ＯＣＨ3、ＣＨ(ＣＨ3)2、ハロゲン、Ｃ1-4アルキル、Ｃ1-4アルコキシ、Ｃ3-6シクロアルキル、ＯＳＯ2ＲIV、ＣＮ、ＮＯ2、ＯＣＦ3、ＣＦ3、ＣＨ2ＣＦ3、(ＣＨ2)nＣＯ2Ｈ、(ＣＨ2)nＣＯ2ＲIVおよびＯ−(ＣＨ2)nＣＯ2ＲIVからなる群から選択されるいずれかの置換基で置換されているヘテロアリールまたは縮合ヘテロアリールであり（ここで、ヘテロ環は、Ｎ、ＯまたはＳを含有しており、芳香族、ジヒドロまたはテトラヒドロである）；
Ｇは、共有結合、ＣＨＲ6またはＣ−Ｒ6であり（ここで、Ｒ6は、Ｈ、ＯＨまたはＯ（ケトンを形成する）である）；
Ｒ7は、Ｈ、ＯＨまたはＯ−Ｃ1-4アルキルであり；
Ｒ8は、ＨまたはＣ1-4アルキルであるか；またはＲ7およびＲ8は、一緒になってケトンを形成し；
ＡおよびＢは、独立して、結合、ＣＨ2、ＮＨ、Ｏ、ＳおよびＣ＝Ｏからなる群から選択されるか（ただし、ＡまたはＢのいずれかは、ＣＨ2およびＮＨから選択される）；またはＡおよびＢは、一緒になって結合を形成するか；またはＡ−Ｂ基は、ＣＨ＝ＣＨまたはＣ≡Ｃを表し；
Ｘ1およびＸ5は、独立して、Ｈ、ハロゲン、ＣＮ、ＮＯ2、Ｃ1-4アルキル、シクロアルキル、ＣＨ2−アリールおよびＣＨ2−ヘテロアリールからなる群から選択され（ただし、Ｘ1またはＸ5のいずれかは、Ｈである）；
Ｘ2、Ｘ3およびＸ4は、Ｈ、ハロゲン、Ｏ−Ｃ1-4アルキル、Ｏ−アリール、Ｏ−ヘテロアリール、ＣＨ2−アリール、ＣＨ2−ヘテロアリール、アルキル、Ｃ(Ｏ)アリール、Ｃ(Ｏ)ヘテロアリール、ＣＨ(ＯＨ)アリール、ＣＨ(ＯＨ)ヘテロアリールおよびＪ−Ｋからなる群から選択され；
Ｊは、共有結合、非置換または、Ｃ1-4アルキル、ＯＨ、Ｏ（ケトンを形成する）、アリール、ヘテロアリールおよびＮＲ'Ｒ''（ここで、Ｒ'およびＲ''は、独立して、Ｈ、アルキル、アリール、ヘテロアリール、Ｃ(Ｏ)アルキル、Ｃ(Ｏ)アリールおよびＣ(Ｏ)ヘテロアリールからなる群から選択される）からなる群から選択される置換基により置換されている炭素原子５個までのアルキレン、Ｏ−アルキレンまたはアルケニレンであり；
Ｋは、ＣＯ2ＲIV、ＯＨおよびＣＮからなる群から選択される］
で示される化合物ならびにその医薬上許容される塩および複合体。
【請求項２】  式（ＩＩ）：
【化２】
2002510671.tif 000002
［式中、
Ｒ3およびＲ4は、独立して、メチルもしくはエチルであるか、または一緒になってシクロプロピルを形成し；
Ｒ5は、非置換または、ＯＨ、ハロゲン、Ｃ1-4アルキル、Ｃ1-4アルコキシ、Ｃ3-6シクロアルキル、ＯＳＯ2ＲIV、ＣＮ、ＮＯ2、ＯＣＦ3、ＣＦ3、ＣＨ2ＣＦ3（ここで、ＲIVは、Ｈ、Ｃ1-4アルキル、Ｃ3-6シクロアルキル、Ｃ3-6シクロアルキルからなる群から選択される）からなる群から選択されるいずれかの置換基で置換されているアリールもしくは縮合アリールまたはジヒドロもしくはテトラヒドロ縮合アリールであるか；または
Ｒ5は、非置換または、ＯＨ、ＯＣＨ3、ＣＨ(ＣＨ3)2、ハロゲン、Ｃ1-4アルキル、Ｃ1-4アルコキシ、Ｃ3-6シクロアルキル、ＣＮ、ＮＯ2、ＯＣＦ3、ＣＦ3、ＣＨ2ＣＦ3からなる群から選択されるいずれかの置換基で置換されているヘテロアリールまたは縮合ヘテロアリールであり（ここで、ヘテロ環は、Ｎ、ＯまたはＳを含有しており、芳香族、ジヒドロまたはテトラヒドロである）；
Ｒ6は、Ｈ、ＯＨまたはＯ（ケトンを形成する）であり；
ＡおよびＢは、独立して、結合、ＣＨ2、ＮＨ、Ｏ、ＳおよびＣ＝Ｏからなる群から選択されるか（ただし、ＡまたはＢのいずれかは、ＣＨ2およびＮＨから選択される）；またはＡおよびＢは、一緒になって結合を形成するか；またはＡ−Ｂ基は、ＣＨ＝ＣＨまたはＣ≡Ｃを表し；
Ｘ1およびＸ5は、独立して、Ｈ、ハロゲン、ＣＮ、ＮＯ2、Ｃ1-4アルキル、シクロアルキル、ＣＨ2−アリールおよびＣＨ2−ヘテロアリールからなる群から選択され（ただし、Ｘ1またはＸ5のいずれかは、Ｈである）；
Ｘ2、Ｘ3およびＸ4は、Ｈ、ハロゲン、Ｏ−Ｃ1-4アルキル、Ｏ−アリール、Ｏ−ヘテロアリール、ＣＨ2−アリール、ＣＨ2−ヘテロアリール、アルキル、Ｃ(Ｏ)アリール、Ｃ(Ｏ)ヘテロアリール、ＣＨ(ＯＨ)アリールおよびＣＨ(ＯＨ)ヘテロアリールおよびＪ−Ｋからなる群から選択され；
Ｊは、共有結合、非置換または、Ｃ1-4アルキル、ＯＨ、Ｏ（ケトン）、アリール、ヘテロアリールおよびＮＲ'Ｒ''（ここで、Ｒ'およびＲ''は、独立して、Ｈ、アルキル、アリール、ヘテロアリール、Ｃ(Ｏ)アルキル、Ｃ(Ｏ)アリールおよびＣ(Ｏ)ヘテロアリールからなる群から選択される）からなる群から選択される置換基により置換されている炭素原子５個までのアルキレン、Ｏ−アルキレンまたはアルケニレンであり；
Ｋは、ＣＯ2Ｈ、ＣＯ2ＲIV、ＯＨおよびＣＮからなる群から選択される］
で示される構造を有する請求項１記載の化合物。
【請求項３】  Ｒ5が、非置換または、ＯＣＨ3、ＣＨ2ＣＨ3、ハロゲン、Ｃ3-6ヘテロシクロアルキル、ＣＮ、ＮＯ2、ＯＣＦ3、ＣＦ3、ＣＨ2ＣＦ3からなる群から選択されるいずれかの置換基で置換されているアリールもしくは縮合アリールまたはジヒドロもしくはテトラヒドロアリールであるか；またはＲ5が、非置換または、ＯＣＨ3、ハロゲン、Ｃ1-4アルキル、ＣＮ、ＮＯ2、ＯＣＦ3、ＣＦ3、およびＣＨ2ＣＦ3からなる群から選択されるいずれかの置換基で置換されているヘテロアリールまたは縮合ヘテロアリールであり（ここで、ヘテロ環は、Ｎ、ＯまたはＳを含有しており、芳香族、ジヒドロまたはテトラヒドロである）；
Ｒ6がＨであり；
ＡおよびＢが、独立して、結合、ＣＨ2、ＮＨ、Ｏ、ＳおよびＣ＝Ｏからなる群から選択されるか（ただし、ＡまたはＢのいずれかは、ＣＨ2およびＮＨから選択される）、またはＡおよびＢが一緒になって結合を形成し；
Ｘ1およびＸ5が、Ｃl、Ｆ、ＣＮおよびＮＯ2からなる群から選択され（ただし、Ｘ1またはＸ5のいずれかは、Ｈである）；
Ｘ2、Ｘ3およびＸ4が、独立して、Ｈ、Ｆ、Ｃl、ＣＮ、Ｏ−アリール、Ｏ−ヘテロアリール、ＣＨ2−アリール、ＣＨ2−ヘテロアリール、Ｃ(Ｏ)アリール、Ｃ(Ｏ)ヘテロアリール、ＣＨ(ＯＨ)アリール、ＣＨ(ＯＨ)ヘテロアリールおよびＪ−Ｋからなる群から選択され；
Ｊが、共有結合、非置換または、Ｃ1-4アルキル、アリール、ヘテロアリールもしくはＮＲ'Ｒ''（ここで、Ｒ'およびＲ''は、独立して、Ｈ、アルキル、アリール、ヘテロアリール、Ｃ(Ｏ)アルキル、Ｃ(Ｏ)アリールおよびＣ(Ｏ)ヘテロアリールからなる群から選択される）により置換されている炭素原子５個までのアルキレン、アルケニレンまたはＯ−アルキレンであり；
ＫがＣＯ2ＲIVである請求項２記載の化合物。
【請求項４】  Ｒ5が、非置換または、ハロゲン、ＯＣＨ3、ＣＦ3およびＣ1-4アルキルからなる群から選択されるいずれかの置換基で置換されているフェニル、ナフチル、ヘテロアリールまたは縮合ヘテロアリールであり（ここで、ヘテロ環は、Ｎ、ＯまたはＳを含有しており、芳香族、ジヒドロまたはテトラヒドロである）；
Ｒ6がＨであり；
ＡおよびＢが、独立して、結合、ＣＨ2およびＯからなる群から選択されるか、またはＡおよびＢが一緒になって結合を形成し；
Ｘ1およびＸ5が、独立して、Ｃl、ＣＮまたはＮＯ2であり（ただし、Ｘ1またはＸ5のいずれかは、Ｈである）；
Ｘ2またはＸ3またはＸ4がＨ、ＣＮ、ＣlまたはＪ−Ｋであり；
Ｊが、共有結合、非置換または、アリール、ヘテロアリールもしくはＮＲ'Ｒ''（ここで、Ｒ'およびＲ''は、Ｈ、アルキル、アリール、ヘテロアリール、Ｃ(Ｏ)アルキル、Ｃ(Ｏ)アリールおよびＣ(Ｏ)ヘテロアリールからなる群から選択される）により置換されている炭素原子５個までのアルキレンまたはアルケニレンであり；
ＫがＣＯ2ＲIVである請求項３記載の化合物。
【請求項５】  (Ｒ)−Ｎ−[２−ヒドロキシ−３−(２−シアノ−４−(２−カルボエトキシエチル)フェノキシ)プロピル]−１,１−ジメチル−２−(２−ナフチル)エチルアミン；
(Ｒ)−Ｎ−[２−ヒドロキシ−３−(２−シアノ−４−(２−カルボキシエチル)フェノキシ)プロピル]−１,１−ジメチル−２−(２−ナフチル)エチルアミン；
(Ｒ)−Ｎ−[２−ヒドロキシ−３−(２−シアノ−５−(３−カルボエトキシプロピル)フェノキシ)プロピル]−１,１−ジメチル−２−(２−ナフチル)エチルアミン；
(Ｒ)−Ｎ−[２−ヒドロキシ−３−(２−シアノ−５−(３−カルボキシプロピル)フェノキシ)プロピル]−１,１−ジメチル−２−(２−ナフチル)エチルアミン；
(Ｒ)−Ｎ−[２−ヒドロキシ−３−(２−シアノ−５−(２−カルボエトキシエチル)フェノキシ)プロピル]−１,１−ジメチル−２−(２−ナフチル)エチルアミン；
(Ｒ)−Ｎ−[２−ヒドロキシ−３−(２−シアノ−５−(２−カルボキシエチル)フェノキシ)プロピル]−１,１−ジメチル−２−(２−ナフチル)エチルアミン；
(Ｒ)−Ｎ−[２−ヒドロキシ−３−(２−シアノ−４−(３−カルボエトキシプロピル)フェノキシ)プロピル]−１,１−ジメチル−２−(２−ナフチル)エチルアミン；
(Ｒ)−Ｎ−[２−ヒドロキシ−３−(２−シアノ−４−(３−カルボキシプロピル)フェノキシ)プロピル]−１,１−ジメチル−２−(２−ナフチル)エチルアミン；
(Ｒ)−Ｎ−[２−ヒドロキシ−３−(２−シアノ−３−(３−カルボエトキシプロピル)フェノキシ)プロピル]−１,１−ジメチル−２−(２−ナフチル)エチルアミン；
(Ｒ)−Ｎ−[２−ヒドロキシ−３−(２−シアノ−３−(３−カルボキシプロピル)フェノキシ)プロピル]−１,１−ジメチル−２−(２−ナフチル)エチルアミン；
(Ｒ)−Ｎ−[２−ヒドロキシ−３−(２−シアノ−３−(２−カルボエトキシエチル)フェノキシ)プロピル]−１,１−ジメチル−２−(２−ナフチル)エチルアミン；
(Ｒ)−Ｎ−[２−ヒドロキシ−３−(２−シアノ−３−(２−カルボキシエチル)フェノキシ)プロピル]−１,１−ジメチル−２−(２−ナフチル)エチルアミン；
(Ｒ)−Ｎ−[２−ヒドロキシ−３−(２−シアノ−４−(カルボエトキシメチル)フェノキシ)プロピル]−１,１−ジメチル−２−(２−ナフチル)エチルアミン；
(Ｒ)−Ｎ−[２−ヒドロキシ−３−(２−シアノ−４−(カルボキシメチル)フェノキシ)プロピル]−１,１−ジメチル−２−(２−ナフチル)エチルアミン；
(Ｒ)−Ｎ−[２−ヒドロキシ−３−(２−シアノ−５−(カルボエトキシメチル)フェノキシ)プロピル]−１,１−ジメチル−２−(２−ナフチル)エチルアミン；
(Ｒ)−Ｎ−[２−ヒドロキシ−３−(２−シアノ−５−(カルボキシメチル)フェノキシ)プロピル]−１,１−ジメチル−２−(２−ナフチル)エチルアミン；
(Ｒ)−Ｎ−[２−ヒドロキシ−３−(２−シアノ−４−(２−カルボエトキシ−トランス−エチレン)フェノキシ)プロピル]−１,１−ジメチル−２−(２−ナフチル)エチルアミン；
(Ｒ)−Ｎ−[２−ヒドロキシ−３−(２−シアノ−４−(２−カルボキシ−トランス−エチレン)フェノキシ)プロピル]−１,１−ジメチル−２−(２−ナフチル)エチルアミン；
(Ｒ)−１−[１,１−ジメチル−２−(４−メトキシフェニル)エチルアミノ]−３−[(４−(２−フェニル−２−Ｒ,Ｓ−メトキシカルボニルエチル))フェノキシ]−プロパン−２−オール；
(Ｒ)−１−[１,１−ジメチル−２−(４−メトキシフェニル)エチルアミノ]−３−[(４−(２−フェニル−２−Ｒ,Ｓ−カルボキシエチル))フェノキシ]−プロパン−２−オール；
(Ｒ)−１−[１,１−ジメチル−２−(４−メトキシフェニル)エチルアミノ]−３−[(３−ベンジル−４−メトキシカルボニルメチル)フェノキシ]−プロパン−２−オール；
(Ｒ)−１−[１,１−ジメチル−２−(２−ナフチル)エチルアミノ]−３−[(３−ベンジル−４−メトキシカルボニルメチル)フェノキシ]−プロパン−２−オール；
(Ｒ)−１−[１,１−ジメチル−２−(２−ナフチル)エチルアミノ]−３−[(３−ベンジル−４−カルボキシメチル)フェノキシ]−プロパン−２−オール；
(Ｒ)−１−[１,１−ジメチル−２−(４−メトキシフェニル)エチルアミノ]−３−[(３−ベンジル−４−カルボキシメチル)フェノキシ]−プロパン−２−オール；
(Ｒ)−１−[１,１−ジメチル−２−(４−メトキシフェニル)エチルアミノ]−３−[(４−(３−ヒドロキシ)プロピル)フェノキシ]−プロパン−２−オール；
(Ｒ)−１−[１,１−ジメチル−２−(４−メトキシフェニル)エチルアミノ]−３−[(４−(２−ヒドロキシ)エチル)フェノキシ]−プロパン−２−オール；
(Ｒ)−１−[１,１−ジメチル−２−(４−メトキシフェニル)エチルアミノ]−３−[(４−(２−シアノ)エチル)フェノキシ]−プロパン−２−オール；
(Ｒ)−２−[４−[３−[２−(４−メトキシフェニル)−１,１−ジメチルエチルアミノ]−２−ヒドロキシプロポキシ]ベンゾイル安息香酸メチル；
(Ｒ)−２−[４−[３−[２−(４−メトキシフェニル)−１,１−ジメチルエチルアミノ]−２−ヒドロキシプロポキシ]ベンゾイル安息香酸；
(Ｒ)−１−[１,１−ジメチル−２−(４−メトキシフェニル)エチルアミノ]−３−[(４−シアノメチル)フェノキシ]−プロパン−２−オール；
(Ｒ)−１−[１,１−ジメチル−２−(４−メトキシフェニル)エチルアミノ]−３−[(４−シアノ)フェノキシ]−プロパン−２−オール；
(Ｒ)−１−[１,１−ジメチル−２−(４−メトキシフェニル)エチルアミノ]−３−[(４−メトキシカルボニルメチル)フェノキシ]−プロパン−２−オール；
(Ｒ)−１−[１,１−ジメチル−２−(４−メトキシフェニルエチルアミノ]−３−[(２−ニトロ−４−シアノ)フェノキシ]−プロパン−２−オール；
(Ｒ)−１−[１,１−ジメチル−２−(４−メトキシフェニル)エチルアミノ]−３−[(２−ニトロ−４−(ヒドロキシメチル))フェノキシ]−プロパン−２−オール；
(Ｒ)−１−[１,１−ジメチル−２−(４−メトキシフェニル)エチルアミノ]−３−[(２−ニトロ−４−メトキシカルボニルメチル)フェノキシ]−プロパン−２−オール；
(Ｒ)−１−[１,１−ジメチル−２−(４−メトキシフェニル)エチルアミノ]−３−[(２−ニトロ−４−カルボキシメチル)フェノキシ]−プロパン−２−オール；
(Ｒ)−１−[１,１−ジメチル−２−(２−ナフチル)エチルアミノ]−３−[(４−メトキシカルボニル)フェノキシ]−プロパン−２−オール；
(Ｒ)−１−[１,１−ジメチル−２−(２−ナフチル)エチルアミノ]−３−[(４−カルボキシ)フェノキシ]−プロパン−２−オール；
(Ｒ)−１−[１,１−ジメチル−２−(４−メトキシフェニル)エチルアミノ]−３−[(２−シアノ−４−エトキシカルボニルメチル)フェノキシ]−プロパン−２−オール；
(Ｒ)−１−[１,１−ジメチル−２−(４−メトキシフェニル)エチルアミノ]−３−[(２−シアノ−４−カルボキシメチル)フェノキシ]−プロパン−２−オール；
(Ｒ)−１−[１,１−ジメチル−２−(４−メトキシフェニル)エチルアミノ]−３−[(４−メトキシカルボニルエチル)フェノキシ]−プロパン−２−オール；
Ｎ−[２Ｒ−ヒドロキシ−３−[[２−ニトロ−４−[２Ｓ−エトキシカルボニル−２−[メチルスルホニル]アミノ]フェノキシ]プロピル]−１,１−ジメチル−２−[４−メトキシフェニル]エチルアミン；
Ｎ−[２Ｒ−ヒドロキシ−３−[[２−ニトロ−４−[２Ｓ−メトキシカルボニル−２−[フタルイミド]フェノキシ]プロピル]−１,１−ジメチル−２−[ナフチル]エチルアミン；
Ｎ−[２Ｒ−ヒドロキシ−３−[[２−ニトロ−４−[２Ｓ−カルボキシ−２−[[[２−カルボキシ]フェニル]カルボニル]アミノ]エチル]フェノキシ]プロピル]−１,１−ジメチル−２−[ナフチル]エチルアミン；
Ｎ−[２Ｒ−ヒドロキシ−３−[[２−ニトロ−４−[２Ｓ−メトキシカルボニル−２−[[[２−カルボキシ]フェニル]カルボニル]アミノ]エチル]フェノキシ]プロピル]−１,１−ジメチル−２−[ナフチル]エチルアミン；
(Ｒ)−１−[１,１−ジメチル−２−(２−ナフチル)エチルアミノ]−３−[(３−(２−アミノフェノキシ)−４−メトキシカルボニル)フェノキシ]−プロパン−２−オール；および
(Ｒ)−１−[１,１−ジメチル−２−(２−ナフチル)エチルアミノ]−３−[(３−(２−アミノフェノキシ)−４−カルボキシ)フェノキシ]−プロパン−２−オール；
ならびにその医薬上許容される塩および複合体
からなる群から選択される請求項１記載の化合物。
【請求項６】  (Ｒ)−Ｎ−[２−ヒドロキシ−３−(２−シアノ−４−(２−カルボエトキシエチル)フェノキシ)プロピル]−１,１−ジメチル−２−(２−ナフチル)エチルアミン；
(Ｒ)−Ｎ−[２−ヒドロキシ−３−(２−シアノ−４−(２−カルボキシエチル)フェノキシ)プロピル]−１,１−ジメチル−２−(２−ナフチル)エチルアミン；
(Ｒ)−Ｎ−[２−ヒドロキシ−３−(２−シアノ−５−(３−カルボエトキシプロピル)フェノキシ)プロピル]−１,１−ジメチル−２−(２−ナフチル)エチルアミン；
(Ｒ)−Ｎ−[２−ヒドロキシ−３−(２−シアノ−５−(３−カルボキシプロピル)フェノキシ)プロピル]−１,１−ジメチル−２−(２−ナフチル)エチルアミン；
(Ｒ)−Ｎ−[２−ヒドロキシ−３−(２−シアノ−５−(２−カルボエトキシエチル)フェノキシ)プロピル]−１,１−ジメチル−２−(２−ナフチル)エチルアミン；
(Ｒ)−Ｎ−[２−ヒドロキシ−３−(２−シアノ−５−(２−カルボキシエチル)フェノキシ)プロピル]−１,１−ジメチル−２−(２−ナフチル)エチルアミン；
(Ｒ)−Ｎ−[２−ヒドロキシ−３−(２−シアノ−４−(３−カルボエトキシプロピル)フェノキシ)プロピル]−１,１−ジメチル−２−(２−ナフチル)エチルアミン；
(Ｒ)−Ｎ−[２−ヒドロキシ−３−(２−シアノ−４−(３−カルボキシプロピル)フェノキシ)プロピル]−１,１−ジメチル−２−(２−ナフチル)エチルアミン；
(Ｒ)−Ｎ−[２−ヒドロキシ−３−(２−シアノ−３−(３−カルボエトキシプロピル)フェノキシ)プロピル]−１,１−ジメチル−２−(２−ナフチル)エチルアミン；
(Ｒ)−Ｎ−[２−ヒドロキシ−３−(２−シアノ−３−(３−カルボキシプロピル)フェノキシ)プロピル]−１,１−ジメチル−２−(２−ナフチル)エチルアミン；
(Ｒ)−Ｎ−[２−ヒドロキシ−３−(２−シアノ−３−(２−カルボエトキシエチル)フェノキシ)プロピル]−１,１−ジメチル−２−(２−ナフチル)エチルアミン；
(Ｒ)−Ｎ−[２−ヒドロキシ−３−(２−シアノ−３−(２−カルボキシエチル)フェノキシ)プロピル]−１,１−ジメチル−２−(２−ナフチル)エチルアミン；
(Ｒ)−Ｎ−[２−ヒドロキシ−３−(２−シアノ−４−(カルボエトキシメチル)フェノキシ)プロピル]−１,１−ジメチル−２−(２−ナフチル)エチルアミン；
(Ｒ)−Ｎ−[２−ヒドロキシ−３−(２−シアノ−４−(カルボキシメチル)フェノキシ)プロピル]−１,１−ジメチル−２−(２−ナフチル)エチルアミン；
(Ｒ)−Ｎ−[２−ヒドロキシ−３−(２−シアノ−５−(カルボエトキシメチル)フェノキシ)プロピル]−１,１−ジメチル−２−(２−ナフチル)エチルアミン；
(Ｒ)−Ｎ−[２−ヒドロキシ−３−(２−シアノ−５−(カルボキシメチル)フェノキシ)プロピル]−１,１−ジメチル−２−(２−ナフチル)エチルアミン；
(Ｒ)−Ｎ−[２−ヒドロキシ−３−(２−シアノ−４−(２−カルボエトキシ−トランス−エチレン)フェノキシ)プロピル]−１,１−ジメチル−２−(２−ナフチル)エチルアミン；
(Ｒ)−Ｎ−[２−ヒドロキシ−３−(２−シアノ−４−(２−カルボキシ−トランス−エチレン)フェノキシ)プロピル]−１,１−ジメチル−２−(２−ナフチル)エチルアミン；
(Ｒ)−１−[１,１−ジメチル−２−(２−ナフチル)エチルアミノ]−３−[(３−(２−アミノフェノキシ)−４−メトキシカルボニル)フェノキシ]−プロパン−２−オール；
(Ｒ)−１−[１,１−ジメチル−２−(４−メトキシフェニル)エチルアミノ]−３−[(４−(２−フェニル−２−Ｒ,Ｓ−メトキシカルボニルエチル))フェノキシ]−プロパン−２−オール；
(Ｒ)−１−[１,１−ジメチル−２−(４−メトキシフェニル)エチルアミノ]−３−[(３−ベンジル−４−メトキシカルボニルメチル)フェノキシ]−プロパン−２−オール；
(Ｒ)−１−[１,１−ジメチル−２−(２−ナフチル)エチルアミノ]−３−[(３−ベンジル−４−メトキシカルボニルメチル)フェノキシ]−プロパン−２−オール；
(Ｒ)−１−[１,１−ジメチル−２−(２−ナフチル)エチルアミノ]−３−[(３−ベンジル−４−カルボキシメチル)フェノキシ]−プロパン−２−オール；
(Ｒ)−２−[４−[３−[２−(４−メトキシフェニル)−１,１−ジメチルエチルアミノ]−２−ヒドロキシプロポキシ]ベンゾイル安息香酸メチル；
(Ｒ)−１−[１,１−ジメチル−２−(４−メトキシフェニル)エチルアミノ]−３−[(２−シアノ−４−エトキシカルボニルメチル)フェノキシ]−プロパン−２−オール；
(Ｒ)−１−[１,１−ジメチル−２−(４−メトキシフェニル)エチルアミノ]−３−[(２−ニトロ−４−メトキシカルボニルメチル)フェノキシ]−プロパン−２−オール；
(Ｒ)−１−[１,１−ジメチル−２−(２−ナフチル)エチルアミノ]−３−[(４−メトキシカルボニル)フェノキシ]−プロパン−２−オール；
Ｎ−[２Ｒ−ヒドロキシ−３−[[２−ニトロ−４−[２Ｓ−エトキシカルボニル−２−[メチルスルホニル]アミノ]フェノキシ]プロピル]−１,１−ジメチル−２−[４−メトキシフェニル]エチルアミン；
Ｎ−[２Ｒ−ヒドロキシ−３−[[２−ニトロ−４−[２Ｓ−メトキシカルボニル−２−[フタルイミド]フェノキシ]プロピル]−１,１−ジメチル−２−[ナフチル]エチルアミン；および
Ｎ−[２Ｒ−ヒドロキシ−３−[[２−ニトロ−４−[２Ｓ−メトキシカルボニル−２−[[[２−カルボキシ]フェニル]カルボニル]アミノ]エチル]フェノキシ]プロピル]−１,１−ジメチル−２−[ナフチル]エチルアミン；ならびに
その医薬上許容される塩および複合体
からなる群から選択される請求項５記載の化合物。
【請求項７】  (Ｒ)−Ｎ−[２−ヒドロキシ−３−(２−シアノ−４−(２−カルボエトキシエチル)フェノキシ)プロピル]−１,１−ジメチル−２−(２−ナフチル)エチルアミン；
(Ｒ)−Ｎ−[２−ヒドロキシ−３−(２−シアノ−４−(２−カルボキシエチル)フェノキシ)プロピル]−１,１−ジメチル−２−(２−ナフチル)エチルアミン；
(Ｒ)−Ｎ−[２−ヒドロキシ−３−(２−シアノ−５−(３−カルボエトキシプロピル)フェノキシ)プロピル]−１,１−ジメチル−２−(２−ナフチル)エチルアミン；
(Ｒ)−Ｎ−[２−ヒドロキシ−３−(２−シアノ−５−(３−カルボキシプロピル)フェノキシ)プロピル]−１,１−ジメチル−２−(２−ナフチル)エチルアミン；
(Ｒ)−Ｎ−[２−ヒドロキシ−３−(２−シアノ−５−(２−カルボエトキシエチル)フェノキシ)プロピル]−１,１−ジメチル−２−(２−ナフチル)エチルアミン；
(Ｒ)−Ｎ−[２−ヒドロキシ−３−(２−シアノ−５−(２−カルボキシエチル)フェノキシ)プロピル]−１,１−ジメチル−２−(２−ナフチル)エチルアミン；
(Ｒ)−Ｎ−[２−ヒドロキシ−３−(２−シアノ−４−(３−カルボエトキシプロピル)フェノキシ)プロピル]−１,１−ジメチル−２−(２−ナフチル)エチルアミン；
(Ｒ)−Ｎ−[２−ヒドロキシ−３−(２−シアノ−４−(３−カルボキシプロピル)フェノキシ)プロピル]−１,１−ジメチル−２−(２−ナフチル)エチルアミン；
(Ｒ)−Ｎ−[２−ヒドロキシ−３−(２−シアノ−３−(３−カルボエトキシプロピル)フェノキシ)プロピル]−１,１−ジメチル−２−(２−ナフチル)エチルアミン；
(Ｒ)−Ｎ−[２−ヒドロキシ−３−(２−シアノ−３−(３−カルボキシプロピル)フェノキシ)プロピル]−１,１−ジメチル−２−(２−ナフチル)エチルアミン；
(Ｒ)−Ｎ−[２−ヒドロキシ−３−(２−シアノ−３−(２−カルボエトキシエチル)フェノキシ)プロピル]−１,１−ジメチル−２−(２−ナフチル)エチルアミン；
(Ｒ)−Ｎ−[２−ヒドロキシ−３−(２−シアノ−３−(２−カルボキシエチル)フェノキシ)プロピル]−１,１−ジメチル−２−(２−ナフチル)エチルアミン；
(Ｒ)−Ｎ−[２−ヒドロキシ−３−(２−シアノ−４−(カルボエトキシメチル)フェノキシ)プロピル]−１,１−ジメチル−２−(２−ナフチル)エチルアミン；
(Ｒ)−Ｎ−[２−ヒドロキシ−３−(２−シアノ−４−(カルボキシメチル)フェノキシ)プロピル]−１,１−ジメチル−２−(２−ナフチル)エチルアミン；
(Ｒ)−Ｎ−[２−ヒドロキシ−３−(２−シアノ−５−(カルボエトキシメチル)フェノキシ)プロピル]−１,１−ジメチル−２−(２−ナフチル)エチルアミン；
(Ｒ)−Ｎ−[２−ヒドロキシ−３−(２−シアノ−５−(カルボキシメチル)フェノキシ)プロピル]−１,１−ジメチル−２−(２−ナフチル)エチルアミン；
(Ｒ)−Ｎ−[２−ヒドロキシ−３−(２−シアノ−４−(２−カルボエトキシ−トランス−エチレン)フェノキシ)プロピル]−１,１−ジメチル−２−(２−ナフチル)エチルアミン；
(Ｒ)−Ｎ−[２−ヒドロキシ−３−(２−シアノ−４−(２−カルボキシ−トランス−エチレン)フェノキシ)プロピル]−１,１−ジメチル−２−(２−ナフチル)エチルアミン；および
(Ｒ)−１−[１,１−ジメチル−２−(２−ナフチル)エチルアミノ]−３−[(３−(２−アミノフェノキシ)−４−メトキシカルボニル)フェノキシ]−プロパン−２−オール；ならびに
その医薬上許容される塩および複合体
からなる群から選択される請求項６記載の化合物。
【請求項８】  請求項１記載の化合物および医薬上許容される担体を含む、異常な骨またはミネラルホメオスタシスにより特徴付けられる疾患または障害の治療用医薬組成物。
【請求項９】  カルシウム受容体を拮抗する方法であって、かかる拮抗作用を必要とする、ヒトを除く対象に有効量の請求項１記載の化合物を投与することを含む方法。
【請求項１０】  異常な骨またはミネラルホメオスタシスにより特徴付けられる疾患または障害の治療方法であって、かかる治療を必要とする、ヒトを除く対象に有効量の請求項１記載の化合物を投与することを含む治療方法。
【請求項１１】  骨またはミネラル疾患または障害が、骨肉種、歯周疾患、骨折治癒機転、変形性関節症、慢性関節リウマチ、パジェット病、体液性高カルシウム血症、悪性疾患および骨粗鬆症からなる群から選択される請求項９記載の方法。
【請求項１２】  骨またはミネラル疾患または障害が骨粗鬆症である請求項１０記載の方法。
【請求項１３】  血清中副甲状腺レベルを増加させる方法であって、かかる処置を必要とする、ヒトを除く対象に有効量の請求項１記載の化合物を投与することを含む方法。
【請求項１４】  異常な骨またはミネラルホメオスタシスにより特徴付けられる疾患または障害の治療用薬剤の製造における式（Ｉ）で示される化合物の使用。